(57)【特許請求の範囲】
【請求項１】
第１表示手段により表示され、手書きストロークを含むストローク画像の一覧を表示した第１表示画像に基づき、前記第１表示手段よりも表示面積が大きい第２表示手段に表示させる第２表示画像を生成するコンピュータ装置であって、
前記第１表示画像の前記一覧にあるストローク画像のうち、前記手書きストロークのストローク量が所定ストローク量以下、又は／及び、前記手書きストロークを描くのに要したストローク時間が所定ストローク時間以下であるストローク画像を非表示とした前記第２表示画像を生成する表示制御手段を備えることを特徴とするコンピュータ装置。
【請求項２】
前記コンピュータ装置は、前記第１表示手段を備え、
前記表示制御手段は、前記第１表示画像と前記第２表示画像とをそれぞれ別のウィンドウ表示にして前記第１表示手段に表示させることを特徴とする請求項１に記載のコンピュータ装置。
【請求項３】
前記コンピュータ装置は、前記第１表示手段を備え、
前記表示制御手段は、前記第１表示画像と前記第２表示画像とを同一のウィンドウにより前記第１表示手段に表示させ、
前記ウィンドウは、前記第１表示画像へ表示を切り替えるタブと、前記第２表示画像へ表示を切り替えるタブとを備えることを特徴とする請求項１に記載のコンピュータ装置。
【請求項４】
前記第２表示画像中に表示するストローク画像を指定する入力を検知するストローク画像指定入力手段をさらに備え、
前記表示制御手段は、前記ストローク画像指定入力手段が前記入力を検知した場合、当該入力により指定されたストローク画像を、当該ストローク画像の前記ストローク量が所定ストローク量以下、又は／及び、前記ストローク時間が所定ストローク時間以下であっても、前記第２表示画像中に表示することを特徴とする請求項１乃至３のいずれか一項に記載のコンピュータ装置。
【請求項５】
前記所定ストローク量、又は／及び、前記所定ストローク時間を指定する入力を検知する閾値指定入力手段をさらに備え、
前記表示制御手段は、前記入力に基づき、前記所定ストローク量、又は／及び、前記所定ストローク時間を設定することを特徴とする請求項１乃至４のいずれか一項に記載のコンピュータ装置。
【請求項６】
前記第２表示手段は、画像信号に基づく光を出射するプロジェクタ及び当該プロジェクタから前記光が照射されるスクリーンであり、
前記表示制御手段が生成した第２表示画像を含む画像信号を前記プロジェクタに送信する送信手段をさらに備えることを特徴とする請求項１乃至５のいずれか一項に記載のコンピュータ装置。
【請求項７】
前記第２表示手段は、前記第１表示手段よりも表示面積が大きいディスプレイであり、
前記表示制御手段が生成した第２表示画像を含む画像信号を前記ディスプレイに送信する送信手段をさらに備えることを特徴とする請求項１乃至５のいずれか一項に記載のコンピュータ装置。
【請求項８】
前記ストローク画像は、記入者ごと又は各記入者が割当てられるグループごとに記入された手書きストロークに基づき生成されることを特徴とする請求項１乃至７のいずれか一項に記載のコンピュータ装置。
【請求項９】
コード化パターンを読み取り、前記コード化パターンに応じた記入情報を生成する複数の電子ペンと、
前記電子ペンにより読み取り可能なコード化パターンが印刷され、各記入者が前記電子ペンによって手書きストロークを記入する複数の記入用紙と、
前記電子ペンから前記記入情報を受信する請求項１乃至８のいずれか一項に記載のコンピュータ装置と、を備える電子ペンシステムであって、
前記コンピュータ装置は、
前記電子ペンから受信した記入情報に基づき、前記手書きストロークを再現したストローク画像を生成するストローク画像生成手段を備えることを特徴とする電子ペンシステム。
【請求項１０】
前記コンピュータ装置のストローク画像生成手段は、
前記電子ペンのペンＩＤと関連付けられたユーザＩＤごとに、前記電子ペンから受信した記入情報に基づき、前記ストローク画像を生成することを特徴とする請求項９に記載の電子ペンシステム。
【請求項１１】
前記記入用紙には複数の問題に対する解答欄が設けられると共に、当該解答欄ごとに異なるコード化パターンが印刷され、
前記コンピュータ装置のストローク画像生成手段は、
前記電子ペンから受信した記入情報に基づき前記手書きストロークを再現したストローク画像を、前記手書きストロークが記入された解答欄ごとに生成することを特徴とする請求項９または１０に記載の電子ペンシステム。
【請求項１２】
前記コンピュータ装置は、
前記記入用紙に記入された手書きストロークの中で表示すべき手書きストロークを切り出すための切り出し時間帯を設定する切り出し時間帯設定手段を備え、
前記コンピュータ装置のストローク画像生成手段は、
前記切り出し時間帯設定手段によって設定された切り出し時間帯内に記入された手書きストロークを再現したストローク画像を生成することを特徴とする請求項９乃至１１のいずれか一項に記載の電子ペンシステム。
【請求項１３】
各ユーザの記入情報に基づき、手書きストロークを含むストローク画像を生成し表示するストローク生成手段と、
前記ストローク生成手段により生成されたストローク画像のうち、前記手書きストロークのストローク量が所定ストローク量以下、又は／及び、前記手書きストロークを描くのに要したストローク時間が所定ストローク時間以下であるユーザのストローク画像を非表示とした表示画像を生成する表示制御手段と
を備えることを特徴とするコンピュータ装置。
【請求項１４】
前記表示制御手段は、選択されたユーザのストローク画像を拡大した表示画像をさらに生成することを特徴とする請求項１３に記載のコンピュータ装置。
【請求項１５】
前記表示制御手段は、前記表示画像と、前記ストローク量ないし前記ストローク時間に関わらず各ユーザのストローク画像を対象とした表示画像とを、表示手段を区別して表示できるよう生成することを特徴とする請求項１３又は１４に記載のコンピュータ装置。
【請求項１６】
コンピュータ装置を、請求項１〜１５のうちいずれか一項に記載のコンピュータ装置として機能させることを特徴とするプログラム。
【発明の詳細な説明】
【技術分野】
【０００１】
本発明は、電子ペンによって記入された手書きストロークを表示するコンピュータ装置、当該コンピュータ装置を含む電子ペンシステム、及びそのコンピュータ装置によって実行されるプログラムに関する。
【背景技術】
【０００２】
近年、記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などのコンピュータ装置に送信される（例えば、特許文献１参照）。
【０００３】
特許文献２には、ドットパターンに対向する電子ペンの角度に起因するドットの画像上の配列を補正する回転補正処理機能が記載されている。特許文献３には、電子ペンを用いた協働学習システムにおいて、電子ペンで色・線幅選択パレット用紙にタップすると、コンピュータ上に表示されるストロークの色や線幅を変更する技術が開示されている。特許文献４には、電子ペンを用いた協働学習システムにおいて、表示画面で任意の位置・大きさの範囲を指定すると、各解答用紙における同じ範囲を並べて一覧表示する技術が開示されている。
【先行技術文献】
【特許文献】
【０００４】
【特許文献１】特許第３８７２４９８号公報
【特許文献２】特表２００３−５２９８５３号公報
【特許文献３】特開２００９−２５１９２５号公報
【特許文献４】特開２００９−２７６４７９号公報
【発明の概要】
【発明が解決しようとする課題】
【０００５】
電子ペン等を用いた協働学習システムなどで、各受講者が解答用紙に記入した解答内容を並べて大型スクリーン等に表示させ、各解答内容を全員に閲覧させながら授業を行う場合、殆どストロークが記入されていない解答内容は、講師が授業で評価やコメントをすることができないため、表示に無駄が生じていた。そこで、本発明は、ストロークが描かれたストローク画像の一覧を表示する際に、不要なストローク画像の表示を抑制することが可能なコンピュータ装置、電子ペンシステム、及びプログラムを提供することを主な目的とする。
【課題を解決するための手段】
【０００６】
本発明に係るコンピュータ装置は、第１表示手段により表示され、手書きストロークを含むストローク画像の一覧を表示した第１表示画像に基づき、前記第１表示手段よりも表示面積が大きい第２表示手段に表示させる第２表示画像を生成するコンピュータ装置であって、前記第１表示画像の前記一覧にあるストローク画像のうち、前記手書きストロークのストローク量が所定ストローク量以下、又は／及び、前記手書きストロークを描くのに要したストローク時間が所定ストローク時間以下であるストローク画像を非表示とした前記第２表示画像を生成する表示制御手段を備える。
【０００７】
この態様により、コンピュータ装置は、第１表示画像に一覧表示されたストローク画像のうち、手書きストロークのストローク量が所定ストローク量以下、又は／及び、手書きストロークを描くのに要したストローク時間が所定ストローク時間以下であるストローク画像を非表示とした第２表示画像を生成する。このようにすることで、コンピュータ装置は、第１表示手段に表示されたストローク画像の一覧から、講師等がコメント等をするのに十分ではないストローク画像を除外して、これらを第１表示手段よりも表示面積が大きい第２表示手段に表示させることができる。従って、コンピュータ装置は、授業などに必要なストローク画像のみを第２表示手段に表示させ、表示の無駄を省くことができる。
【０００８】
上記コンピュータ装置の一態様では、前記コンピュータ装置は、前記第１表示手段を備え、前記表示制御手段は、前記第１表示画像と前記第２表示画像とをそれぞれ別のウィンドウ表示にして前記第１表示手段に表示させる。この態様により、コンピュータ装置は、第１表示手段にのみ表示される第１表示画像と、第２表示手段に表示される第２表示画像との両方を操作者に閲覧させることができる。従って、操作者は、ストローク量が所定ストローク量以下、又は／及び、ストローク時間が所定ストローク時間以下であるストローク画像についても、コンピュータ装置の画面上で容易に把握することができる。
【０００９】
上記コンピュータ装置の他の一態様では、前記コンピュータ装置は、前記第１表示手段を備え、前記表示制御手段は、前記第１表示画像と前記第２表示画像とを同一のウィンドウにより前記第１表示手段に表示させ、前記ウィンドウは、前記第１表示画像へ表示を切り替えるタブと、前記第２表示画像へ表示を切り替えるタブとを備える。この態様によっても、コンピュータ装置は、第１表示手段にのみ表示される第１表示画像と、第２表示手段に表示される第２表示画像との両方を、同一ウィンドウにより容易に操作者に閲覧させることができる。また、操作者は、ストローク量が所定ストローク量以下、又は／及び、ストローク時間が所定ストローク時間以下であるストローク画像についても、コンピュータ装置の画面上で容易に把握することができる。
【００１０】
上記コンピュータ装置の他の一態様では、前記第２表示画像中に表示するストローク画像を指定する入力を検知するストローク画像指定入力手段をさらに備え、前記表示制御手段は、前記ストローク画像指定入力手段が前記入力を検知した場合、当該入力により指定されたストローク画像を、当該ストローク画像の前記ストローク量が所定ストローク量以下、又は／及び、前記ストローク時間が所定ストローク時間以下であっても、前記第２表示画像中に表示する。このようにすることで、操作者は、コンピュータ装置が第２表示画像から自動的に排除したストローク画像についても、必要に応じて第２表示画像中に表示させることができ、利便性が向上する。
【００１１】
上記コンピュータ装置の他の一態様では、前記所定ストローク量、又は／及び、前記所定ストローク時間を指定する入力を検知する閾値指定入力手段をさらに備え、前記表示制御手段は、前記入力に基づき、前記所定ストローク量、又は／及び、前記所定ストローク時間を設定する。このようにすることで、操作者は、ストローク画像を第２表示画像に表示させるか否かを決定するための閾値となる所定ストローク量等を、記入内容等に応じて柔軟に指定することができる。
【００１２】
上記コンピュータ装置の他の一態様では、前記第２表示手段は、画像信号に基づく光を出射するプロジェクタ及び当該プロジェクタから前記光が照射されるスクリーンであり、前記表示制御手段が生成した第２表示画像を含む画像信号を前記プロジェクタに送信する送信手段をさらに備える。この態様により、コンピュータ装置は、スクリーン上に第２表示画像を表示させて、第２表示画像を各受講者に閲覧させることができる。
【００１３】
上記コンピュータ装置の他の一態様では、前記第２表示手段は、前記第１表示手段よりも表示面積が大きいディスプレイであり、前記表示制御手段が生成した第２表示画像を含む画像信号を前記ディスプレイに送信する送信手段をさらに備える。この態様によっても、コンピュータ装置は、ディスプレイ上にて第２表示画像を各受講者に閲覧させることができる。
【００１４】
上記コンピュータ装置の他の一態様では、前記ストローク画像は、記入者ごと又は各記入者が割当てられるグループごとに記入された手書きストロークに基づき生成される。この態様であっても、コンピュータ装置は、授業などに必要なストローク画像のみを第２表示手段に表示させ、表示の無駄を省くことができる。
【００１５】
本発明に係る電子ペンシステムは、コード化パターンを読み取り、前記コード化パターンに応じた記入情報を生成する複数の電子ペンと、前記電子ペンにより読み取り可能なコード化パターンが印刷され、各記入者が前記電子ペンによって手書きストロークを記入する複数の記入用紙と、前記電子ペンから前記記入情報を受信する請求項１乃至８のいずれか一項に記載のコンピュータ装置と、を備える電子ペンシステムであって、前記コンピュータ装置は、前記電子ペンから受信した記入情報に基づき、前記手書きストロークを再現したストローク画像を生成するストローク画像生成手段を備える。
【００１６】
この態様により、電子ペンシステムは、コード化パターンを読み取り、記入情報を生成する電子ペンと、コード化パターンが印刷された記入用紙と、上述した各態様に係るコンピュータ装置とを備える。コンピュータ装置は、電子ペンから受信した記入情報に基づき手書きストロークを再現したストローク画像を生成する。そして、コンピュータ装置は、第１表示画像の一覧にあるストローク画像のうち、ストローク量が所定ストローク量以下、又は／及び、ストローク時間が所定ストローク時間以下であるストローク画像を非表示とした第２表示画像を生成する。このようにすることで、電子ペンシステムは、第１表示手段に表示されたストローク画像の一覧から、講師等がコメント等をするのに十分ではないストローク画像を除外して、これらを第１表示手段よりも表示面積が大きい第２表示手段に表示させることができる。従って、コンピュータ装置は、授業などに必要なストローク画像のみを第２表示手段に表示させ、表示の無駄を省くことができる。
【００１７】
上記電子ペンシステムの一態様では、前記コンピュータ装置のストローク画像生成手段は、前記電子ペンのペンＩＤと関連付けられたユーザＩＤごとに、前記電子ペンから受信した記入情報に基づき、前記ストローク画像を生成する。このようにすることで、第２表示手段の観察者は、どのユーザがどの筆跡の記入を行ったか把握することが可能となる。
【００１８】
上記電子ペンシステムの他の一態様では、前記記入用紙には複数の問題に対する解答欄が設けられると共に、当該解答欄ごとに異なるコード化パターンが印刷され、前記コンピュータ装置のストローク画像生成手段は、前記電子ペンから受信した記入情報に基づき前記手書きストロークを再現したストローク画像を、前記手書きストロークが記入された解答欄ごとに生成する。この態様により、記入用紙が複数の問題に対する解答欄が印刷された解答用紙であった場合にも、電子ペンシステムは、各問題に対する解答ごとに電子ペンによるストロークを抽出したストローク画像を生成し、第１又は／及び第２表示手段に表示させることができる。
【００１９】
上記電子ペンシステムの他の一態様では、前記コンピュータ装置は、前記記入用紙に記入された手書きストロークの中で表示すべき手書きストロークを切り出すための切り出し時間帯を設定する切り出し時間帯設定手段を備え、前記コンピュータ装置のストローク画像生成手段は、前記切り出し時間帯設定手段によって設定された切り出し時間帯内に記入された手書きストロークを再現したストローク画像を生成する。この態様により、電子ペンシステムは、設定された切り出し時間帯ごとにストロークを抽出してストローク画像を生成し、第１又は／及び第２表示手段に表示させることができる。
【００２０】
本発明に係るコンピュータ装置の別の態様では、コンピュータ装置は、各ユーザの記入情報に基づき、手書きストロークを含むストローク画像を生成し表示するストローク生成手段と、前記ストローク生成手段により生成されたストローク画像のうち、前記手書きストロークのストローク量が所定ストローク量以下、又は／及び、前記手書きストロークを描くのに要したストローク時間が所定ストローク時間以下であるユーザのストローク画像を非表示とした表示画像を生成する表示制御手段とを備える。
上記コンピュータ装置の一態様では、前記表示制御手段は、選択されたユーザのストローク画像を拡大した表示画像をさらに生成する。
上記コンピュータ装置の他の一態様では、前記表示制御手段は、前記表示画像と、前記ストローク量ないし前記ストローク時間に関わらず各ユーザのストローク画像を対象とした表示画像とを、表示手段を区別して表示できるよう生成する。
本発明に係るプログラムは、コンピュータ装置を、上記いずれかのコンピュータ装置として機能させる。
【００３２】
このプログラムを実行することにより、上記のコンピュータ装置及び電子ペンシステムを実現することができる。
【発明の効果】
【００３３】
本発明によれば、コンピュータ装置は、生成されたストローク画像から、講師等がコメント等をするのに十分ではないストローク画像を除外した表示画像を表示させる。従って、コンピュータ装置は、授業などに必要なストローク画像のみを表示させ、表示の無駄を省くことができる。
【図面の簡単な説明】
【００３４】
【図１】本実施形態に係る電子ペンシステムのシステム構成図である。
【図２】電子ペンシステムで利用される解答用紙を示す図である。
【図３】電子ペンシステムで利用されるカラーパレット用紙を示す図である。
【図４】解答用紙、電子ペン、及び受講者の対応を説明するための図である。
【図５】ドットパターンにおけるドットの配置と変換される値との関係を示す説明図である。
【図６】（ａ）は、ドットパターンを模式的に示し、（ｂ）は、それに対応する情報の例を示す図である。
【図７】電子ペンの構造を示す概略図である。
【図８】集約装置の機能ブロック図を含む電子ペンシステムのシステム構成図である。
【図９】集約装置に記憶された、ユーザＩＤとユーザ名とペンＩＤとの関係を示す図である。
【図１０】集約装置に記憶された、ユーザエリアと線種ＩＤと色及び線幅との関係を示す図である。
【図１１】集約装置に記憶させる学習データのファイルの構造図である。
【図１２】集約装置における描画アプリケーションウィンドウの表示例である。
【図１３】集約装置における描画アプリケーションによる機能メニューの説明図であり、（Ａ）はファイルメニューのプルダウンメニュー、（Ｂ）は表示メニューのプルダウンメニュー、（Ｃ）はツールメニューのプルダウンメニューを示す。
【図１４】選択ユーザ表示ボタンが選択された場合の非投影描画アプリケーションウィンドウの表示例である。
【図１５】選択ユーザ表示ボタンが選択された場合の投影描画アプリケーションウィンドウの表示例である。
【図１６】比較一覧表示ボタンが選択された場合の非投影描画アプリケーションウィンドウの表示例である。
【図１７】比較一覧表示ボタンが選択された場合の投影描画アプリケーションウィンドウの表示例である。
【図１８】変形例における表示手段による表示画面を示す。
【図１９】変形例におけるファイルメニューのプルダウンメニューを示す。
【図２０】変形例における解答用紙の上面図を示す。
【図２１】選択ユーザ表示ボタンが選択されたタブ式描画アプリケーションウィンドウにおいて、非投影タブが選択された状態を示す。
【図２２】選択ユーザ表示ボタンが選択されたタブ式描画アプリケーションウィンドウにおいて、投影タブが選択された状態を示す。
【図２３】選択ユーザ表示ボタンが選択された際の、スクリーン上に投影表示されたタブ式描画アプリケーションウィンドウを示す。
【図２４】比較一覧表示ボタンが選択されたタブ式描画アプリケーションウィンドウにおいて、非投影タブが選択された状態を示す。
【図２５】比較一覧表示ボタンが選択されたタブ式描画アプリケーションウィンドウにおいて、投影タブが選択された状態を示す。
【図２６】比較一覧表示ボタンが選択された際の、スクリーン上に投影表示されたタブ式描画アプリケーションウィンドウを示す。
【発明を実施するための形態】
【００３５】
以下、図面を参照しながら、本発明に係るシステムの好適な実施形態について説明する。
【００３６】
＜第１実施形態＞
［電子ペンシステムのシステム構成］
図１は、第１実施形態における電子ペンシステム１０のシステム構成図である。図１に示すように、電子ペンシステム１０は、各受講者（記入者）それぞれに配布される解答用紙（記入用紙）５Ａ，５Ｂ，…（５）と、解答用紙５に解答（筆跡）を記入し、記入した情報を外部へＢｌｕｅｔｏｏｔｈ（登録商標）等の無線通信方式で送信するための電子ペン１Ａ，１Ｂ，…（１）と、各電子ペン１から送信される記入情報を受信してディスプレイ（表示手段）に記入内容等を表示する集約装置（コンピュータ装置）２とを備える。
【００３７】
なお、図１では、集約装置２は、電子ペン１Ａ〜１Ｃから直接、記入情報を受信しているが、記入される解答用紙５が多いために記入情報を送信する電子ペン１の本数が多い場合や、受講者が解答する会場が離れている等により無線通信の範囲外となるような場合は、他の電子ペン１Ｄ、１Ｅ、…から送信される記入情報を中継して集約装置２へ転送するための転送装置３を設ける。このとき、転送装置３から集約装置２へのデータの送信は、例えばＬＡＮ経由でＴＣＰ／ＩＰの通信方式で行うとよい。各電子ペン１には、アノトペンを利用することができ、集約装置２には、ラップトップパソコンなどを利用することができ、転送装置３には、ラップトップパソコンやデータ転送専用のコンピュータなどを利用することができる。プロジェクタ４は、集約装置２から表示情報を受信して、集約装置２の画面をスクリーン６へ投影表示する装置である。
【００３８】
また、本システム１０では、電子ペン１で解答用紙５に記入するにあたって、集約装置２での記入した筆跡を表示する色及び線幅を特定するためのカラーパレット用紙（選択用紙）７が備えられている。なお、図１ではカラーパレット用紙７を１枚しか図示していないが、実際には、カラーパレット用紙７は複数枚存在し、各受講者それぞれに配布される。
【００３９】
［解答用紙］
図２を参照して解答用紙（記入用紙）５について説明する。図２に示すように、受講者ごとに複数枚の解答用紙５が一組用意され、同じ組の解答用紙５には、それぞれ異なる座標範囲のドットパターン（コード化パターン）が印刷される。また、解答用紙５には、マス目が印刷されている。ドットパターンは、赤外線を吸収するカーボンを含んだインキにより印刷され、マス目は、赤外域に吸収性を持たないインキにより印刷される。なお、解答用紙５に、記入欄や問題や解答欄等を印刷しておいても良い。
【００４０】
［カラーパレット用紙］
図３を参照してカラーパレット用紙７について説明する。カラーパレット用紙７の略全面に、電子ペン１によって読取可能なドットパターン（コード化パターン）が印刷され、その上に、ユーザエリア７０１〜７０６が規定されている。ユーザエリア７０１〜７０６は、電子ペン１によるストローク情報（筆跡）を集約装置２の表示手段２６で表示する色及び線幅（表示態様）を選択するために用いられる。ユーザエリア７０１は、ストローク情報を集約装置２の表示手段２６に黒色で表示するためのユーザエリアであり、「くろ」と印刷されている。ユーザエリア７０２は、ストローク情報を集約装置２の表示手段２６に赤色で表示するためのユーザエリアであり、「あか」と印刷されている。ユーザエリア７０３は、ストローク情報を集約装置２の表示手段２６に青色で表示するためのユーザエリアであり、「あお」と印刷されている。
【００４１】
また、ユーザエリア７０４は、ストローク情報を集約装置２の表示手段２６に０．３ｍｍの線幅で表示するためのユーザエリアであり、「０．３ｍｍ」と印刷されている。ユーザエリア７０５は、ストローク情報を集約装置２の表示手段２６に０．５ｍｍの線幅で表示するためのユーザエリアであり、「０．５ｍｍ」と印刷されている。ユーザエリア７０６は、ストローク情報を集約装置２の表示手段２６に１．０ｍｍの線幅で表示するためのユーザエリアであり、「１．０ｍｍ」と印刷されている。カラーパレット用紙７に印刷されたドットパターンは、解答用紙５とは異なるドットパターンを有し、そのドットパターンは、赤外線を吸収するカーボンを含んだインキにより印刷されている。また、各ユーザエリア７０１〜７０６の枠や文字は、赤外域に吸収性を持たないインキにより印刷される。受講者等は、集約装置２の表示手段２６に表示させるストローク情報（筆跡）の色や線幅を設定する際に、電子ペン１のペン先部１０３で所望のユーザエリアにタップする。
【００４２】
［解答用紙、電子ペンと受講者の対応等］
解答用紙、電子ペンと受講者（記入者）の対応等については、本実施形態では、図４に示すように、受講者「太郎」が、電子ペン１Ａを用いて解答用紙５Ａに解答し、受講者「次郎」が、電子ペン１Ｂを用いて解答用紙５Ｂに解答し、受講者「三郎」が、電子ペン１Ｃを用いて解答用紙５Ｃに解答し、受講者「四郎」が、電子ペン１Ｄを用いて解答用紙５Ｄに解答し、受講者「五郎」が、電子ペン１Ｅを用いて解答用紙５Ｅに解答するものとする。また、講師（操作者）「花子」が、集約装置２を操作するものとする。
【００４３】
［ドットパターン］
【００４４】
次に、図５と図６を参照しながら、解答用紙５及びカラーパレット用紙７に印刷されたアノト方式のドットパターン（コード化パターン）について説明する。図５は、解答用紙５及びカラーパレット用紙７に印刷されたドットパターンのドットと、そのドットが変換される値との関係を説明する図である。図５に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、用紙上の位置座標が決定されるように構成されている。
【００４５】
図６（ａ）は、あるドットパターンの配列を示している。図６（ａ）に示すように、縦横約２ｍｍの範囲内に６×６個のドットが、用紙上のどの部分から６×６ドットを取っても、ユニークなパターンとなるように配置されている。これら３６個のドットにより形成されるドットパターンは位置座標（例えば、そのドットパターンが解答用紙５上のどの位置にあるのか）を保持している。図６（ｂ）は、図６（ａ）に示す各ドットを、格子の基準位置からのシフト方向によって、図５に示す規則性に基づいて、対応づけられた値に変換したものである。この変換は、ドットパターンの画像を撮影する電子ペン１によって行われる。
【００４６】
［電子ペン］
次に、電子ペン１について図７を用いて説明する。図７は、電子ペン１の構造を示す概略図である。図７に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端は、ペン先部１０３となっており、各受講者は、電子ペン１のペン先部１０３を、カラーパレット用紙７にタップしたり、解答用紙５に当接させてストローク（手書きストローク）を記入したりする。インクカートリッジ１０４のインクは、赤外線を吸収する材料（例えばカーボン）を含まないようにする。ここで、電子ペン１のペン先部１０３が用紙に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００４７】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、受講者が電子ペン１により解答用紙５に文字やマークを書いたりカラーパレット用紙７にタップしたりする際にペン先部１０３からインクカートリッジ１０４を通じて与えられる圧力、即ち筆圧を検出し、その値をプロセッサ１０８へ伝送する。
【００４８】
プロセッサ１０８は、圧力センサ１０７から与えられる筆圧データに基づいて、ＬＥＤ１０５及びＣＭＯＳカメラ１０６のスイッチのオン／オフを切り替える。即ち、受講者が電子ペン１で解答用紙５に文字などを書くと、ペン先部１０３に筆圧がかかり、圧力センサ１０７によって所定値以上の筆圧が検出されたときに、プロセッサ１０８は、受講者が記入を開始したと判定して、ＬＥＤ１０５及びＣＭＯＳカメラ１０６を作動させる。そして、受講者が１つのストロークを記入し終えて電子ペン１を解答用紙５から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として集約装置２へ送信する。
【００４９】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、解答用紙５及びカラーパレット用紙７上のペン先部１０３近傍に向けて赤外線を照明する。その領域は、ペン先部１０３が解答用紙５及びカラーパレット用紙７に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、カーボンを含むドットの領域とそれ以外の領域を区別することができる。したがって、解答用紙５に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図６（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００５０】
プロセッサ１０８は、受講者の記入が行われる間、ＣＭＯＳカメラ１０６によって供給される画像データのドットパターンから、受講者が記入するストローク（筆跡）の解答用紙５上におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図６（ａ）に示されるようなドットパターンの画像データを図６（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、解答用紙５及びカラーパレット用紙７における６×６のドットパターンは、解答用紙５内及びカラーパレット用紙７内で重複することはないため、受講者が電子ペン１で文字等を記入すると、記入された位置が解答用紙５及びカラーパレット用紙７のどの位置に当たるかを、プロセッサ１０８による座標演算により特定することができる。
【００５１】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として集約装置２へ送信する。通信ユニット１１１による集約装置２への送信は、Ｂｌｕｅｔｏｏｔｈ（登録商標）などの無線送信によって、即時的かつ逐次的に行われる。ここで、電子ペン１のペンダウンからペンアップまでの間に生成されて集約装置２に送信された１個又は複数個の座標属性情報は、集約装置２によりストローク情報として記憶される。換言すると、１つのストロークは、１個又は複数個のＸ、Ｙ座標（座標点）からなり、集約装置２は、ペンダウン情報及びペンアップ情報によって、１つのストロークを構成する１個又は複数個の座標属性情報を認識する。
【００５２】
このように、各電子ペン１Ａ〜１Ｅは、受講者が解答用紙５及びカラーパレット用紙７に記入する都度、記入情報を生成して、集約装置２へ送信する。言い換えると、各電子ペン１Ａ〜１Ｅは、受講者が解答用紙５及びカラーパレット用紙７に記入し続けている間、記入情報を生成し、集約装置２へ送信し続ける。そして、受講者が電子ペン１を解答用紙５及びカラーパレット用紙７から離す（ペンアップする）と、当該電子ペン１は、圧力センサ１０７で所定値以上の筆圧が検出されなくなったことにより、受講者が記入を停止したと判定する。そして、この場合、ペンアップされた電子ペン１は、ＬＥＤ１０５とＣＭＯＳカメラ１０６を停止して、集約装置２への記入情報の送信を中止する。
【００５３】
［転送装置］
図８を参照して転送装置３について説明する。図８に、転送装置３の機能ブロック図と集約装置２の機能ブロック図とを含む電子ペンシステム１０のシステム構成図を示す。
【００５４】
図８に示すように、転送装置３は、転送受信手段３１と転送送信手段３２とを備える。転送受信手段３１は、電子ペン１からＢｌｕｅｔｏｏｔｈ（登録商標）の無線通信方式で送信される記入情報等のデータを受信する手段である。転送送信手段３２は、転送受信手段３１によって受信した記入情報等のデータを集約装置２に送信する手段である。転送送信手段３２による集約装置２へのデータの送信は、例えばＬＡＮ経由でＴＣＰ／ＩＰの通信方式により行うと良い。
【００５５】
［集約装置］
続いて、集約装置２について説明する。図８に示すように、集約装置２は、範囲指定手段２０、入力手段２１、集約個別受信手段（受信手段）２２、集約転送受信手段（受信手段）２３、集約処理手段（処理手段）２４、記憶手段２５、表示手段２６、及び送信手段２７を備える。集約装置２は、ハードウェアとして、電子ペン１やプロジェクタ４とのデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータ等である。また、集約装置２は、集約処理手段２４による描画アプリケーション（プログラム）の実行により、電子ペン１から受信した記入情報を処理して、表示手段２６に記入内容を再現する。
【００５６】
集約個別受信手段２２は、電子ペン１から送信された記入情報等のデータを受信する手段である。集約転送受信手段２３は、転送装置３から転送された記入情報等のデータを受信する手段である。集約個別受信手段２２及び集約転送受信手段２３は、アンテナや受信回路等により構成される。
【００５７】
範囲指定手段２０は、マウス等のポインティング・デバイスとその操作を検知する手段によって構成され、マウスによって、表示手段２６の画面におけるボタンのクリック操作や任意の位置・大きさの長方形状の画面範囲を指定するドラッグ操作が可能である。入力手段２１は、処理や表示の種別を含む処理態様を指示する手段であり、キーボードやマウスとその操作を検知する手段によって構成される。このように、マウスは、その操作によって範囲指定手段２０と入力手段２１とを兼ねる。送信手段２７は、表示手段２６に表示される内容と同じ内容をプロジェクタ４からスクリーン６へ投影表示させるため、表示手段２６への表示信号を同期してプロジェクタ４へ送信する手段である。
【００５８】
記憶手段２５は、ＲＯＭやＲＡＭ、ハードディスクなどのメモリによって構成され、解答用紙５における各ユーザエリアと位置座標とを関連付けて記憶する。また、図９に示すように、記憶手段２５は、電子ペン１が保持する固有のペンＩＤに対して、ユーザＩＤとユーザ名とをユーザ定義情報として関連付けて記憶する。図９において、例えば、ペンＩＤ「ｐｅｎ０１」には、ユーザＩＤ「Ｕ０１」とユーザ名「太郎」とが予め関連付けられて記憶されている。さらに、記憶手段２５は、各電子ペン１によって送信されてきた記入情報を、ペンＩＤごとに記憶する。
【００５９】
また、記憶手段２５は、カラーパレット用紙７における各ユーザエリア７０１〜７０６と色及び線幅と線種ＩＤとを関連付けて、カラーパレット定義情報として記憶する。すなわち、図１０に示すように、記憶手段２５は、ユーザエリア７０１〜７０６ごとに、ストローク情報（筆跡）を集約装置２の表示手段２６で表示する色及び線幅と線種ＩＤとを記憶している。ここで、ユーザエリア７０１〜７０３には、ストローク情報を集約装置２の表示手段２６に表示する色として、それぞれ、「くろ」、「あか」、「あお」とその線種ＩＤ「Ｌ７１」、「Ｌ７２」、「Ｌ７３」が関連付けられ、ユーザエリア７０４〜７０６には、ストローク情報を集約装置２の表示手段２６に表示する線幅として、「０．３ｍｍ」、「０．７ｍｍ」、「１．０ｍｍ」とその線種ＩＤ「Ｌ７４」、「Ｌ７５」、「Ｌ７６」が関連付けられている。各ユーザエリア７０１〜７０６に関連付けられている色及び線幅は、カラーパレット７の各ユーザエリア７０１〜７０６に印刷されている文字や線の色及び線幅と対応するので、受講者が使いたい色及び線幅を選び易くなりカラーパレット７の使い勝手がよい。
【００６０】
記憶手段２５には、記入情報およびユーザ定義情報に基づいて、集約処理手段２４による描画アプリケーション（プログラム）の実行により、ファイル形式で学習データが保存される。図１１は、データのファイル形式の概略的な構造を示している。図１１に示すように、学習データは、ファイル属性情報と、ユーザＩＤ別の個人学習データとを有する。ファイル属性情報には、作成日時情報が含まれている。また、個人学習データには、ユーザＩＤと、電子ペン１から送信された記入情報の位置座標情報等を含むユーザストローク情報と、解答内容等に応じてカテゴライズのために操作者によって設定されるユーザ色（分類）情報等が含まれている。ユーザＩＤは、集約処理手段２４により、記入情報に含まれるペンＩＤに基づいて、記憶手段２５に予め記憶されたユーザ定義情報を参照することで特定され、当該記入情報に基づくユーザストローク情報と対応付けられる。ユーザストローク情報は、電子ペン１が演算した位置座標（ＸＹ座標）情報、記入された時の時刻情報、及び筆圧情報が含まれる。また、ストロークの色及び線幅は、ストロークに関連付けてユーザストローク情報として記憶される。ファイルデータを読み込む際には、操作者が、入力手段２１によって、ユーザＩＤやユーザ色情報などを所定の入力エリアに入力することで、集約処理手段２４によって特定のデータを検索させ、ユーザストローク情報を表示手段２６に再現させることができる。
【００６１】
集約処理手段２４は、電子ペン１からのデータを集約して処理する手段であり、アプリケーションプログラムの実行により機能を発揮するＣＰＵ等のプロセッサによって構成されている。この集約処理手段２４は、電子ペン１から位置座標及びペンＩＤ等を含む記入情報を受信すると、ペンＩＤごとに記入情報を記憶手段２５に記憶させる。また、集約処理手段２４は、ペンＩＤごとに関連付けられた記入情報を筆跡として再現した画像（「ストローク画像」とも呼ぶ。）を表示手段２６に表示させる等、様々な処理を行う。このように、集約処理手段２４は、本発明の「表示制御手段」及び「ストローク画像生成手段」として機能する。
【００６２】
また、集約処理手段２４は、解答用紙５についての記入情報を含む学習データに基づいて、記入内容とともにペンＩＤに対応するユーザＩＤに対応するユーザ名等を表示した描画アプリケーションに基づくウィンドウ（「描画アプリケーションウィンドウ」とも呼ぶ。）を表示手段２６に表示させる。描画アプリケーションウィンドウについては、［描画アプリケーションによる画面表示］のセクションで詳しく説明する。表示手段２６上の描画アプリケーションウィンドウには、電子ペン１による記入内容とユーザ名とが表示されるため、操作者である講師「花子」は、受講者（記入者）とその者による記入内容とを合わせて認識することができる。
【００６３】
さらに、集約処理手段２４は、プロジェクタ４からスクリーン６へ投影表示されない描画アプリケーションウィンドウ（「非投影描画アプリケーションウィンドウＷｘ」とも呼ぶ。）と、プロジェクタ４からスクリーン６へ投影表示される描画アプリケーションウィンドウ（「投影描画アプリケーションウィンドウＷｙ」とも呼ぶ。）とをそれぞれ生成して表示手段２６に表示させる。後述するように、各ストローク画像のうち、当該ストローク画像を構成するストロークの数又は当該ストロークの各々の長さの合算値（単に「ストローク量Ｌｓ」とも呼ぶ。）が所定の閾値（「所定ストローク量Ｌｓｔｈ」とも呼ぶ。）以下となるストローク画像は、非投影描画アプリケーションウィンドウＷｘでは表示されるが、投影描画アプリケーションウィンドウＷｙでは表示されない。所定ストローク量Ｌｓｔｈは、講師が評価（講評）できる程度に記載されていないと判断されるストローク量Ｌｓであって、例えば２０ストローク数に設定される。
【００６４】
そして、集約処理手段２４は、表示手段２６による表示のうち、非投影描画アプリケーションウィンドウＷｘを除いた表示に相当する画像信号を送信手段２７によりプロジェクタ４へ送信する。すると、各受講者は、プロジェクタ４からスクリーン６へ投影表示された投影描画アプリケーションウィンドウＷｙを参照することができ、各受講者の記入内容とその記入者とを合わせて認識することができる。このように、表示手段２６は、本発明における「第１表示手段」の一例であり、プロジェクタ４及びスクリーン６は、本発明における「第２表示手段」の一例である。また、非投影描画アプリケーションウィンドウＷｘは、本発明における「第１表示画像」の一例であり、投影描画アプリケーションウィンドウＷｙは、本発明における「第２表示画像」の一例である。
【００６５】
［描画アプリケーションによる画面表示］
次に、描画アプリケーションの実行による集約処理手段２４の表示手段２６への表示処理について図１２を参照しつつ説明する。図１２は、表示手段２６の表示画面に表示された描画アプリケーションウィンドウの一例を示す。
【００６６】
図１２に示すように、電子ペン１で解答用紙５に記入された際に生成された記入情報に基づいて、集約装置２で記憶手段２５に個別学習データとして記憶したユーザストローク情報（以下、単に「ストローク」とも表記する。）は、集約処理手段２４によって、表示手段２６のユーザストローク情報表示領域５０に描画される。描画するユーザストローク情報が、拡大表示などでユーザストローク情報表示領域５０よりも大きい場合、集約処理手段２４は、横スクロールバー５１及び縦スクロールバー５２を有効とし、操作者のマウス操作によってユーザストローク情報表示領域５０をスクロールして、ユーザストローク情報全体を複数回に分けて表示できるようにする。
【００６７】
また、集約処理手段２４は、描画アプリケーションウィンドウ上部に、機能ボタンとして、選択ユーザ表示ボタン５３、比較一覧表示ボタン５４、再生表示ボタン５６、選択画像出力ボタン５７、表示サイズ変更リスト５８、縮小表示ボタン５９、拡大表示ボタン６０、ページ送りボタン６１，６２、回転表示ボタン６３、６４、及びユーザコントロール表示ボタン６５などを表示し、マウスによる機能ボタンの選択により、それぞれの処理を実行する。
【００６８】
選択ユーザ表示ボタン５３は、後述するユーザ選択リスト６９から選択した１つのユーザ名に対応するユーザストローク情報を大きく表示し、他のユーザ名に対応するユーザストローク情報を小さく表示したサムネイルを一覧表示するためのボタンである。以後、選択ユーザ表示ボタン５３が選択された際の描画アプリケーションウィンドウの表示を「選択ユーザ表示」と呼ぶ。比較一覧表示ボタン５４は、複数のユーザ名に対応するユーザストローク情報を同時に並べて一覧表示するためのボタンである。以後、比較一覧表示ボタン５４が選択された際の描画アプリケーションウィンドウの表示を「比較一覧表示」と呼ぶ。再生表示ボタン５６は、ユーザストローク情報を１ストロークずつ再生表示するためのボタンである。選択画像出力ボタン５７は、任意選択範囲がある場合にその範囲内のユーザストローク情報を、画像データとして出力するためのボタンである。この機能を設けることで、各受講生の記入情報から、参考となる模範解答集などを容易に作成できるようになる。
【００６９】
表示サイズ変更リスト５８は、現在、ユーザストローク情報表示領域５０に描画するユーザストローク情報の表示サイズを示すリストである。また、操作者がマウスを用いてプルダウンメニューの中から表示サイズを任意に選択し、変更できる。縮小表示ボタン５９は、ユーザストローク情報表示領域５０に描画するユーザストローク情報の表示サイズを、現在設定されている表示サイズから所定の割合で縮小する機能である。拡大表示ボタン６０は、ユーザストローク情報表示領域５０に描画するユーザストローク情報の表示サイズを、現在設定されている表示サイズから所定の割合で拡大する機能である。ページ送りボタン６１，６２は、解答用紙５のセットが複数枚に及ぶ場合に、異なるページアドレス（用紙ドットパターン）の解答用紙５を表示するためのボタンである。回転表示ボタン６３，６４は、ユーザストローク情報表示領域５０に描画するユーザストローク情報を９０度ずつ回転させるためのボタンである。このような機能を設けることで、表示上の用紙向きを簡単に変更できる。ユーザコントロール表示ボタン６５は、ユーザコントロールリスト６８の表示・非表示を切り替える機能である。非表示にすることで、ユーザストローク情報表示領域５０を拡大できる。
【００７０】
図１２に示すように、ユーザコントロールリスト６８には、ユーザ選択リスト６９、色分類ボタン７１〜７６、名簿順ソートボタン７８、色順ソートボタン７９、分類グラフ表示ボタン８１、リロードボタン８２などが表示される。
【００７１】
ユーザ選択リスト６９は、ユーザストローク情報表示領域５０に表示するユーザストローク情報を、ユーザ名で選択するためのリストである。ユーザ選択リスト６９は、ユーザ色（分類）情報表示欄６９１と、ユーザ名表示欄６９２と、色・幅表示欄６９３とを備える。集約処理手段２４は、電子ペン１から取得して個別学習データとして記憶手段２５に記憶したユーザストローク情報ごとに関連付けられているユーザＩＤに対応するユーザ名をユーザ名表示欄６９２に表示し、色分類ボタン７１〜７６によって選択されたユーザ色（分類）情報をユーザ色（分類）情報表示欄６９１に表示し、各受講者がカラーパレット用紙７で選択したストロークの色及び線幅を色・幅表示欄６９３に表示する。ユーザ選択リスト６９のユーザ名表示欄６９２には、集約処理手段２４により、記憶手段２５に記憶した個別学習データのユーザＩＤに対応するユーザ名が表示される。そして、操作者がマウスによって、ユーザ選択リスト６９から所望のユーザを選択したうえで選択ユーザ表示ボタン５３をクリックすると、集約処理手段２４は、ユーザストローク情報表示領域５０に、選択された受講者のストローク情報を大きく表示させると共に、他の受講者のストローク情報を小さく表示したサムネイルを一覧表示させる。
【００７２】
色分類ボタン７１〜７６は、ユーザ選択リスト６９に表示されている受講者ごとにユーザ色（分類）情報を設定するためのボタンである。ボタン７１は赤色に、ボタン７２は青色に、ボタン７３は黄色に、ボタン７４は緑色に、ボタン７５は茶色に、ボタン７６は白色にユーザ色（分類）情報を設定するためのボタンである。集約装置２の操作者は、マウスによって、ユーザ選択リスト６９内の特定のユーザ名を選択し、色分類ボタン７１〜７６のうち所望のボタンを選択すると、集約処理手段２４は、ユーザ選択リスト６９内の選択されたユーザ名のユーザ色（分類）情報表示欄６９１を指定された色で表示する。この機能により、操作者である講師が、ユーザストローク情報表示領域５０に表示される受講者の解答内容を見て、その考え方などをカテゴリー分けして色をつけ、見易くすることができる。なお、ユーザ色（分類）情報は、未設定時は、白色に設定しておくとよい。
【００７３】
名簿順ソートボタン７８は、ユーザ選択リスト６９に表示されているユーザ一覧を、名簿番号順に並べ替えるためのボタンである。本実施形態では、図９に示すユーザＩＤ順を名簿番号順としている。色順ソートボタン７９は、ユーザ選択リスト６９に表示されているユーザ一覧を、色分類ボタン７１〜７６の操作によって付されたユーザ色（分類）情報が同じ受講者同士を連続して配列されるように、ユーザ色（分類）情報順に並べ替えるためのボタンである。分類グラフ表示ボタン８１は、色分類ボタン７１〜７６の操作によって付されたユーザ色情報別のユーザ数を、ユーザストローク情報表示領域５０に棒グラフ等で表示するためのボタンである。
【００７４】
リロードボタン８２は、ユーザ選択リスト６９において選択されている受講者のユーザストローク情報を、学習データファイル保存時の状態まで戻すためのボタンである。この機能により、操作者である講師が、リロードボタン８２をマウスで選択すると、集約処理手段２４は、選択されている受講者に関連付けられているユーザＩＤに基づいて、前回のファイル保存以降に電子ペン１より受信して記憶手段２５のユーザＩＤ別の格納領域に記憶したユーザストローク情報をクリアして、前回ファイル保存した時点までのユーザストローク情報を読み出し、ユーザストローク情報表示領域５０に表示する。この機能により、個々の受講者が解答をやり直したい場合などに対応できる。
【００７５】
また、図１３に示すように、ファイルデータの保存やアプリケーションの設定などは、一般的なアプリケーションと同様に、機能メニューとして用意しておくと良い。図１３（Ａ）に示すように、ファイルメニュー９０のプルダウンメニューとして、ファイルデータの読み込み・保存を実行するメニュー９０Ａ、９０Ｂ、画像形式で保存するメニュー９０Ｃ、９０Ｄ、後述する図１４〜図１７に示すように非投影描画アプリケーションウィンドウＷｘ及び投影描画アプリケーションウィンドウＷｙを画面上に表示させる画像選定投影モードメニュー９０Ｅ、アプリケーションの終了を実行するメニュー９０Ｆなど、アプリケーションの全般的な管理に関する実行機能を一覧で用意しておくと便利である。なお、画像選定投影モードメニュー９０Ｅが選択されていない場合には、集約処理手段２４は、非投影描画アプリケーションウィンドウＷｘと同一表示となる描画アプリケーションウィンドウを表示するとともに、かつ、表示手段２６による表示に相当する画像信号をプロジェクタ４へ送信手段２７により送信する。
【００７６】
また、ファイルデータの保存に関するファイル形式を、ユーザ別のユーザストローク情報と設定情報を関連付けた構造としているので、ファイルデータを読み込む際、ユーザＩＤやユーザ色情報などから特定のデータを検索し、検索されたユーザストローク情報をユーザストローク情報表示領域５０に表示することができる。
【００７７】
表示メニュー９１のプルダウンメニューとして、ウィンドウ枠を隠しアプリケーションの表示領域を最大限拡大する全画面表示メニューなど、アプリケーションの表示に関する実行機能を一覧で用意しておくと便利である。またツールメニュー９２のプルダウンメニューとして、電子ペン１の接続経由状況（例えば転送装置３のＩＰアドレスなど）を表示するペン管理メニュー、ユーザストローク情報を表示する背景となる解答用紙５の画像を設定する用紙管理メニュー、アプリケーションのバージョンやプロパティ情報などを表示するメニューなど、アプリケーションの設定に関する実行機能を一覧で用意しておくと便利である。これらのボタンやメニューが選択されると、集約処理手段２４により各機能が実行される。
【００７８】
［選択ユーザ表示機能］
次に、図１４、１５を参照して、選択ユーザ表示ボタン５３及び画像選定投影モードメニュー９０Ｅが選択された場合に表示される非投影描画アプリケーションウィンドウＷｘ及び投影描画アプリケーションウィンドウＷｙについてそれぞれ説明する。
【００７９】
（１）非投影描画アプリケーションウィンドウ
図１４は、選択ユーザ表示ボタン５３及び画像選定投影モードメニュー９０Ｅが選択された場合の非投影描画アプリケーションウィンドウＷｘによる選択ユーザ表示の一例を示す。図１４に示すように、画像選定投影モードメニュー９０Ｅが選択されたことから、集約処理手段２４は、非投影描画アプリケーションウィンドウＷｘと投影描画アプリケーションウィンドウＷｙとを重ねて表示手段２６の画面上に表示している。なお、操作者は、例えばマウスのカーソルを投影描画アプリケーションウィンドウＷｙの表示部分に合わせてクリックすることで、投影描画アプリケーションウィンドウＷｙを非投影描画アプリケーションウィンドウＷｘよりも前面に表示させることができる。
【００８０】
図１４に示すように、集約処理手段２４は、選択ユーザ表示ボタン５３が選択された場合に、非投影描画アプリケーションウィンドウＷｘのユーザストローク情報表示領域５０に、ユーザ選択リスト６９を用いて操作者によって選択された受講者（図１４に示す例では「四郎」）のユーザストローク情報に基づくストローク画像を大きく表示した拡大画像２００Ｄ（２００）を表示させる。また、集約処理手段２４は、操作者によって選択されなかった他の全ての受講者（図１４に示す例では「太郎」、「次郎」、「三郎」、「五郎」）のユーザストローク情報に基づくストローク画像を、拡大画像２００よりも小さく表示したサムネイル２０１Ａ、２０１Ｂ、２０１Ｃ、２０１Ｅ（２０１）により一覧表示させる。具体的には、集約処理手段２４は、ユーザストローク情報表示領域５０の上部エリアに特定の受講者に対応する拡大画像２００を表示させ、ユーザストローク情報表示領域５０の下部エリアに他の全ての受講者に対応するサムネイル２０１を同時に並べて一覧表示させる。サムネイル２０１を一覧表示させる場合、集約処理手段２４は、同じ縮尺にて、各受講者のユーザストローク情報に対応するサムネイル２０１を表示させる。
【００８１】
また、集約処理手段２４は、カラーパレット用紙７を用いて受講者によって選択された色・線幅によって、若しくは色・線幅が選択されていない場合にはデフォルトの色・線幅によって、各受講者によって電子ペン１で解答用紙５に記入されたストロークを表示させる。また、集約処理手段２４は、各受講者によって記入されたストロークが少なくとも含まれるような範囲を切り出して、その切り出した範囲に対応する画像を、拡大画像２００及びサムネイル２０１として表示させる。各受講者でストローク数やストローク長などが異なることから、当該切り出した範囲のサイズが異なるため、各受講者でサムネイル２０１のサイズが異なる傾向にある。更に、集約処理手段２４は、操作者によって選択された受講者（つまりストロークを大きく表示している受講者）に対応するユーザ選択リスト６９の箇所を強調表示させる。具体的には、集約処理手段２４は、操作者によって選択された受講者（図１４に示す例では「四郎」）に対応するユーザ選択リスト６９の番号を、赤色などの枠９９で囲って表示させる。なお、集約処理手段２４は、一覧表示させるサムネイル２０１がユーザストローク情報表示領域５０に収まらない場合には、横スクロールバー５１を有効とし、操作者のマウス操作によってユーザストローク情報表示領域５０をスクロールして、サムネイル２０１を複数回に分けて表示できるようにする。
【００８２】
ここで、拡大画像２００は、受講者によって記入されたストロークを実際に拡大した画像という意味で「拡大」の文言を用いているわけではなく、サムネイル２０１よりもサイズが大きい画像という意味で「拡大」の文言を用いている（以下同様とする）。この定義は、後述する「拡大表示」や「縮小表示」にも同様に適用される。つまり、「拡大表示」は、実際のストロークを拡大して表示するという意味で用いるわけではなく、サムネイル２０１よりも大きなサイズで表示するという意味で用い、「縮小表示」は、実際のストロークを縮小して表示するという意味で用いるわけではなく、拡大画像２００よりも小さなサイズで表示するという意味で用いる（以下同様とする）。
【００８３】
他方で、集約処理手段２４は、操作者のマウス操作などによってサムネイル２０１のいずれか１つが選択された場合に、既に拡大表示されている拡大画像２００を縮小表示させると共に、選択されたサムネイル２０１を拡大表示させる。つまり、集約処理手段２４は、既に拡大表示されている拡大画像２００をサムネイル２０１として一覧表示させると共に、操作者によって選択されたサムネイル２０１を拡大画像２００として表示させる。言い換えると、既に拡大表示されている拡大画像２００と、操作者によって選択されたサムネイル２０１とを入れ替える。
【００８４】
また、図１４に示すように、各受講者の色・幅表示欄６９３に、現在設定されているストロークの色及び線幅が表示されている。具体的には、受講者「太郎」は、色が青で線幅が１ｍｍであることを示す線分が表示され、受講者「次郎」は、色が赤で線幅が０．７ｍｍであることを示す線分が表示され、受講者「三郎」は、色が青で線幅が０．７ｍｍであることを示す線分が表示され、受講者「四郎」は、色が黒で線幅が０．７ｍｍであることを示す線分が表示され、受講者「五郎」は、色が黒で線幅が０．３ｍｍであることを示す線分が表示されている。集約処理手段２４は、カラーパレット用紙７を用いて受講者によって色・線幅が選択された場合には、その色・線幅を色・幅表示欄６９３に表示させる。他方で、集約処理手段２４は、受講者によって色・線幅が選択されていない場合には、デフォルトの色・線幅を色・幅表示欄６９３に表示させる。例えば、デフォルトの色は黒であり、デフォルトの線幅は０．７ｍｍｍである。
【００８５】
また、図１４に示すように、各受講者のユーザ色（分類）情報表示欄６９１に、色が付されて表示されている。具体的には、受講者「太郎」は黄色が付され、受講者「次郎」は黄色が付され、受講者「三郎」は青色が付され、受講者「四郎」は赤色が付され、受講者「五郎」は黄色が付されている。操作者は、受講者の解答の考え方（解き方）をカテゴリー分けして、それぞれに色を割り当て、各受講者ごとに色分類ボタン７１〜７６のうちの所望のボタンを選択する。そして、集約処理手段２４は、各受講者のユーザ色（分類）情報表示欄６９１を、操作者によって指定された色で表示させる。図１４に示す例では、操作者は、数列を用いた解答の考え方に黄色を割り当て、三角形の面積を用いた解答の考え方に青色を割り当て、台形の面積に基づいた解答の考え方に赤色を割り当てている。
【００８６】
（２）投影描画アプリケーションウィンドウ
図１５は、選択ユーザ表示ボタン５３及び画像選定投影モードメニュー９０Ｅが選択された場合の投影描画アプリケーションウィンドウＷｙによる選択ユーザ表示の一例を示す。以後では、図１４に示す非投影描画アプリケーションウィンドウＷｘと同様の部分については適宜同一の符号を付し、その説明を省略する。
【００８７】
図１５に示すように、集約処理手段２４は、非投影描画アプリケーションウィンドウＷｘと同様、ユーザ選択リスト６９を用いて操作者によって選択された受講者（図１５に示す例では「四郎」）に対応する拡大画像２００Ｄをユーザストローク情報表示領域５０の上部エリアに表示させる。また、集約処理手段２４は、操作者によって選択されなかった他の受講者（図１５に示す例では「次郎」、「三郎」、「五郎」）に対応するサムネイル２０１Ｂ、２０１Ｃ、２０１Ｅをユーザストローク情報表示領域５０の下部エリアに一覧表示させる。
【００８８】
ここで、集約処理手段２４は、非投影描画アプリケーションウィンドウＷｘと異なり、ストローク量Ｌｓが所定ストローク量Ｌｓｔｈ以下のストローク画像を投影描画アプリケーションウィンドウＷｙでは非表示にする。具体的には、集約処理手段２４は、受講者「太郎」に対応するストローク画像（即ち、図１４のサムネイル２０１Ａ）のストローク量Ｌｓが所定ストローク量Ｌｓｔｈ以下であることから、受講者「太郎」の解答は講師が評価できる程度に十分に記載されていないと判断し、当該ストローク画像を非表示にする。一方、受講者「次郎」、「三郎」、「四郎」、「五郎」にそれぞれ対応するストローク画像のストローク量Ｌｓは所定ストローク量Ｌｓｔｈよりも大きい。よって、集約処理手段２４は、これらのストローク画像に対応するサムネイル２０１Ｂ、２０１Ｃ、拡大画像２００Ｄ、サムネイル２０１Ｅを、投影描画アプリケーションウィンドウＷｙ上に表示させている。
【００８９】
［比較一覧表示機能］
次に、図１６、１７を参照して、比較一覧表示ボタン５４及び画像選定投影モードメニュー９０Ｅが選択された場合に表示される非投影描画アプリケーションウィンドウＷｘ及び投影描画アプリケーションウィンドウＷｙについてそれぞれ説明する。
【００９０】
（１）非投影描画アプリケーションウィンドウ
図１６は、比較一覧表示ボタン５４及び画像選定投影モードメニュー９０Ｅが選択された場合に表示される非投影描画アプリケーションウィンドウＷｘの比較一覧表示の一例を示す。図１６に示すように、画像選定投影モードメニュー９０Ｅが選択されたことから、集約処理手段２４は、非投影描画アプリケーションウィンドウＷｘと投影描画アプリケーションウィンドウＷｙとを重ねて表示手段２６の画面上に表示している。なお、操作者は、例えばマウスのカーソルを投影描画アプリケーションウィンドウＷｙの表示部分に合わせてクリックすることで、投影描画アプリケーションウィンドウＷｙを非投影描画アプリケーションウィンドウＷｘよりも前面に表示させることができる。
【００９１】
図１６に示すように、集約処理手段２４は、操作者によって比較一覧表示ボタン５４が選択された場合に、非投影描画アプリケーションウィンドウＷｘのユーザストローク情報表示領域５０に、全受講者の各々のユーザストローク情報に基づくストローク画像を縮小表示したサムネイル２０２Ａ〜２０２Ｅ（２０２）を同時に並べて一覧表示させる。この場合、集約処理手段２４は、同じ縮尺にて、全受講者の各々のユーザストローク情報に対応するサムネイル２０２を表示させる。また、集約処理手段２４は、各受講者によって記入されたストロークが少なくとも含まれるような範囲を切り出して、その切り出した範囲に対応するストローク画像をサムネイル２０２として表示させる。
【００９２】
なお、図１６に示す比較一覧表示の例でも、図１４に示す選択ユーザ表示と同様に、各受講者のユーザ色（分類）情報表示欄６９１に、色が表示されていると共に、各受講者の色・幅表示欄６９３に、現在設定されているストロークの色及び線幅が表示されている。
【００９３】
（２）投影描画アプリケーションウィンドウ
図１７は、比較一覧表示ボタン５４及び画像選定投影モードメニュー９０Ｅが選択された場合の投影描画アプリケーションウィンドウＷｙによる比較一覧表示の一例を示す。以後では、図１６に示す非投影描画アプリケーションウィンドウＷｘと同様の部分については適宜同一の符号を付し、その説明を省略する。
【００９４】
集約処理手段２４は、操作者によって比較一覧表示ボタン５４が選択された場合に、投影描画アプリケーションウィンドウＷｙのユーザストローク情報表示領域５０に、所定の受講者のユーザストローク情報に基づくストローク画像を縮小表示したサムネイル２０２Ｂ〜２０２Ｅ（２０２）を同時に並べて一覧表示させる。このとき、図１７に示すように、集約処理手段２４は、非投影描画アプリケーションウィンドウＷｘと異なり、ストローク量Ｌｓが所定ストローク量Ｌｓｔｈ以下のストローク画像を投影描画アプリケーションウィンドウＷｙでは非表示にする。具体的には、集約処理手段２４は、受講者「太郎」に対応するストローク画像（即ち、図１６のサムネイル２０２Ａ）のストローク量Ｌｓが所定ストローク量Ｌｓｔｈ以下であることから、受講者「太郎」の解答は講師が評価できる程度に記載されていないと判断し、当該ストローク画像を非表示にする。一方、受講者「次郎」、「三郎」、「四郎」、「五郎」にそれぞれ対応するストローク画像のストローク量Ｌｓは所定ストローク量Ｌｓｔｈよりも大きいことから、集約処理手段２４は、これらのストローク画像に対応するサムネイル２０１Ｂ〜２０１Ｅを投影描画アプリケーションウィンドウＷｙ上に表示させる。
【００９５】
なお、１人のユーザにつき複数の解答用紙５にわたって解答が記入され、その結果、一人のユーザにつき複数のストローク画像が対応する場合には、集約処理手段２４は、ユーザごとにストローク量Ｌｓを算出し、所定ストローク量Ｌｓｔｈと比較する。具体的には、集約処理手段２４は、各ユーザについて、当該ユーザの各ストローク画像のストローク量Ｌｓを合算し、その合算値が所定ストローク量Ｌｓｔｈ以下であるか否か判定する。そして、集約処理手段２４は、選択ユーザ表示又は比較一覧表示のいずれの場合であっても、上述の合算値が所定ストローク量Ｌｓｔｈ以上の場合には、投影描画アプリケーションウィンドウＷｙに当該ユーザの全てのストローク画像を表示する。
【００９６】
［第１実施形態による作用効果］
以上説明した第１実施形態の電子ペンシステム１０によれば、集約装置２は、スクリーン６に投影表示される投影描画アプリケーションウィンドウＷｙ上では、ストローク量Ｌｓが所定ストローク量Ｌｓｔｈ以下であるストローク画像を非表示にする。このようにすることで、集約装置２は、各受講者の解答内容に相当するストローク画像のうち、講師が評価（講評）できる程度に記載されていない解答内容に相当するストローク画像を除外したストローク画像を、スクリーン６上に表示させることができる。従って、集約装置２は、授業などに必要なストローク画像のみをスクリーン６上に表示させ、表示の無駄を省くことができる。
【００９７】
また、集約装置２は、スクリーン６に投影表示させない非投影描画アプリケーションウィンドウＷｘと、スクリーン６に投影表示させる投影描画アプリケーションウィンドウＷｙとの両方を表示する。一般に、講師である集約装置２の操作者は、スクリーン６上に投影表示されない解答内容も含めて全ての受講者の解答内容を把握しておく必要がある場合がある。第１実施形態によれば、操作者は、スクリーン６上に投影表示されない解答内容であっても、集約装置２の画面上で容易に把握することができる。
【００９８】
［第１実施形態の変形例］
次に、上記した第１実施形態の変形例について説明する。なお、以下で示す変形例は適宜組み合わせて実施することができる。
【００９９】
（変形例１）
集約処理手段２４は、ストローク量Ｌｓが所定ストローク量Ｌｓｔｈ以下であるストローク画像を投影描画アプリケーションウィンドウＷｙ上で非表示にした。これに代えて、またはこれに加えて、集約処理手段２４は、各ストローク画像について、当該ストローク画像を構成する全ストロークを電子ペン１により記入するのに要したペンダウンの時間（「ストローク時間Ｔｓ」とも呼ぶ。）を算出する。そして、集約処理手段２４は、ストローク時間Ｔｓが所定の閾値（「所定ストローク時間Ｔｓｔｈ」とも呼ぶ。）以下である場合に、当該ストローク画像を投影描画アプリケーションウィンドウＷｙ上で非表示にしてもよい。所定ストローク時間Ｔｓｔｈは、解答として講師が評価（講評）できないと判断されるストローク時間Ｔｓに設定され、例えば１５秒に設定される。
【０１００】
従って、変形例１によれば、集約処理手段２４は、ストローク画像を構成する各ストロークについて、ユーザストローク情報の時刻情報に基づきペンダウンの時間幅を特定し、これらの時間幅の合算値をストローク時間Ｔｓと定める。そして、集約処理手段２４は、ストローク量Ｌｓが所定ストローク量Ｌｓｔｈ以下、又は／及び、ストローク時間Ｔｓが所定ストローク時間Ｔｓｔｈ以下のストローク画像を、投影描画アプリケーションウィンドウＷｙ内で非表示にする。この態様によっても、好適に、電子ペンシステム１０は、各受講生に参考となる解答内容のみをスクリーン６に表示することができる。
【０１０１】
（変形例２）
集約装置２は、投影描画アプリケーションウィンドウＷｙ上で非表示のストローク画像であっても、当該ストローク画像を表示させる旨の入力を検知した場合には、投影描画アプリケーションウィンドウＷｙ上に当該ストローク画像を表示させてもよい。これについて、図１８を参照して説明する。
【０１０２】
図１８は、変形例に係る表示手段２６による表示画面を示す。図１８に示すように、サムネイル２０２Ａは、非投影描画アプリケーションウィンドウＷｘにのみ表示され、投影描画アプリケーションウィンドウＷｙでは表示されていない。そして、操作者は、サムネイル２０２Ａをスクリーン６上に表示させるため、マウスのカーソル２４９をサムネイル２０２Ａに合わせて投影描画アプリケーションウィンドウＷｙのユーザストローク情報表示領域５０へドラッグアンドドロップを行う。この場合、集約装置２の集約処理手段２４は、サムネイル２０２Ａが投影描画アプリケーションウィンドウＷｙのユーザストローク情報表示領域５０へドラッグアンドドロップされたことを検知し、当該サムネイル２０２Ａを投影描画アプリケーションウィンドウＷｙ上に表示させる。これにより、サムネイル２０２Ａは、スクリーン６に表示される。このように、集約処理手段２４は、本発明の「ストローク画像指定入力手段」の一例である。
【０１０３】
このように、本変形例によれば、集約装置２は、投影描画アプリケーションウィンドウＷｙ上で非表示になっているストローク画像であっても、非投影描画アプリケーションウィンドウＷｘから任意のストローク画像を指定させて、投影描画アプリケーションウィンドウＷｙ上に表示させることができる。なお、集約装置２は、上述の例に代えて、操作者が所望のストローク画像上にマウスのカーソルを合わせて右クリックし、これにより表示される所定のメニューを選択した場合、当該ストローク画像を投影描画アプリケーションウィンドウＷｙ上に表示させてもよい。
【０１０４】
（変形例３）
所定ストローク量Ｌｓｔｈは、予め定められた固定値に限らず、操作者により指定されてもよい。図１９は、本変形例に係るファイルメニュー９０の概要図である。図１９に示すように、画像選定投影モードメニュー９０Ｅがマウスのカーソル２４９により選択された場合、集約処理手段２４は、さらに所定ストローク量Ｌｓｔｈを定めるための閾値決定メニュー９０Ｅａ〜９０Ｅｃを表示する。閾値決定メニュー９０Ｅａは、所定ストローク量Ｌｓｔｈを大きい値（例えば５０ストローク数）に設定するための選択メニューである。閾値決定メニュー９０Ｅｂは、所定ストローク量Ｌｓｔｈを標準値（例えば２０ストローク数）に設定するための選択メニューである。閾値決定メニュー９０Ｅｃは、所定ストローク量Ｌｓｔｈを小さい値（例えば５ストローク数）に設定するための選択メニューである。そして、集約処理手段２４は、選択された閾値決定メニュー９０Ｅａ〜９０Ｅｃに従い、所定ストローク量Ｌｓｔｈを定める。このように、集約処理手段２４は、本発明の「閾値指定入力手段」の一例である。このようにすることで、電子ペンシステム１０は、解答用紙５に記載する内容等に応じて、柔軟に所定ストローク量Ｌｓｔｈを操作者に決定させることができる。なお、変形例１と本変形例３を組み合わせた場合であっても、これと同様に、集約装置２は、ファイルメニュー９０から所定ストローク時間Ｔｓｔｈを操作者に指定させてもよい。あるいは、所定ストローク量Ｌｓｔｈないし所定ストローク時間Ｔｓｔｈの数値を入力して設定できるようにしてもよい。
【０１０５】
（変形例４）
集約装置２は、解答用紙５ごとにストローク画像を生成したが、本発明が適用可能な方法はこれに限定されない。これに代えて、集約装置２は、問題に対する解答ごとにストローク画像を生成してもよい。
【０１０６】
図２０は、変形例に係る解答用紙５Ｘの上面図を示す。図２０に示すように、受講者ごとに複数枚の解答用紙５Ｘが一組用意され、各解答用紙５Ｘには、各問題１〜４に対する解答を記入する問題別解答記入欄５０１〜５０４が設けられている。そして、各問題別解答記入欄５０１〜５０４には異なるドットパターンが印刷される。集約装置２の記憶手段２５は、各問題別解答記入欄５０１〜５０４の問題番号と、各問題別解答記入欄５０１〜５０４に重畳して印刷されるドットパターンが示す位置座標とを予め関連付けて記憶する。
【０１０７】
そして、集約装置２は、比較一覧表示や選択ユーザ表示では、各問題別解答記入欄５０１〜５０４ごとにストローク画像を生成し、表示する。このとき、集約装置２は、投影描画アプリケーションウィンドウＷｙ上には、ストローク量Ｌｓが所定ストローク量Ｌｓｔｈ以上となるストローク画像のみを表示する。また、好適には、集約装置２は、問題番号を指定する入力があった場合、指定された問題番号に対応するストローク画像のみを表示してもよい。
【０１０８】
また、他の例では、集約処理手段２４は、操作者によって設定された時間帯に記入されたストロークを再現したストローク画像を、比較一覧表示や選択ユーザ表示において表示してもよい。この場合、集約処理手段２４は、操作者によって設定された時間帯に属する時刻情報を有するユーザストローク情報のみに基づきストローク画像を生成する。そして、集約処理手段２４は、ストローク量Ｌｓが所定ストローク量Ｌｓｔｈより大きいストローク画像のみ、投影描画アプリケーションウィンドウＷｙに表示する。この場合、集約処理手段２４は、本発明の「切り出し時間帯設定手段」として機能する。
【０１０９】
さらに別の例では、集約装置２は、各受講者についてグループ分けの設定がなされており、定められたグループごとに解答用紙５を共用する場合には、設定されたグループごとにストローク画像を生成し、当該ストローク画像を比較一覧表示や選択ユーザ表示において表示してもよい。この場合であっても、集約処理手段２４は、ストローク量Ｌｓが所定ストローク量Ｌｓｔｈより大きいストローク画像のみ、投影描画アプリケーションウィンドウＷｙに表示する。
【０１１０】
（変形例５）
図１に示すプロジェクタは、スクリーン６の正面へ向けて光を出射するフロントプロジェクタであったが、これに代えて、スクリーン６の背面へ向けて光を出射するリアプロジェクタであってもよい。また、電子ペンシステム１０は、プロジェクタ４及びスクリーン６を有する代わりに、液晶型やプラズマ型などの大型ディスプレイと電気的に接続し、当該大型ディスプレイに対して、表示手段２６による表示から非投影描画アプリケーションウィンドウＷｘの表示を除いた画像信号を送信してもよい。これによっても、好適に、各受講者は、大型ディスプレイ上において、記入内容とその記入者とを合わせて認識することができる。
【０１１１】
（変形例６）
第１実施形態では、集約装置２は、非投影描画アプリケーションウィンドウＷｘ及び投影描画アプリケーションウィンドウＷｙを表示手段２６に表示させた。これに代えて、集約装置２は、表示手段２６上では投影描画アプリケーションウィンドウＷｙを表示しなくてもよい。この場合、集約装置２は、表示手段２６上の非投影描画アプリケーションウィンドウＷｘに表示されたストローク画像のうちストローク量Ｌｓが所定ストローク量Ｌｓｔｈ以下のストローク画像を削除した表示に相当する画像信号をプロジェクタ４に送信する。これによっても、上述の第１実施形態と同様に、電子ペンシステム１０は、各受講生に参考となる解答内容のみをスクリーン６に表示し、かつ、全ての受講生の解答内容を集約装置２の操作者に把握させることができる。
【０１１２】
（変形例７）
電子ペンシステム１０は、集約装置２及びプロジェクタ４と電気的に接続したコンピュータ装置をさらに備え、当該コンピュータ装置が各ストローク画像のストローク量Ｌｓが所定ストローク量Ｌｓｔｈ以下か否かを判定してもよい。この場合、コンピュータ装置は、集約装置２から受信したユーザストローク情報に基づき、ストローク量Ｌｓが所定ストローク量Ｌｓｔｈより大きいストローク画像を特定する。そして、コンピュータ装置は、当該ストローク画像から投影描画アプリケーションウィンドウＷｙに相当する画像信号を生成し、当該画像信号をプロジェクタ４に送信してもよい。これによっても、上述の第１実施形態と同様に、電子ペンシステム１０は、各受講生に参考となる解答内容のみをスクリーン６に表示することができる。
【０１１３】
（変形例８）
集約装置２は、電子ペン１からＢｌｕｅｔｏｏｔｈ（登録商標）等の無線通信方式により記入情報を受信し、当該記入情報に基づくユーザストローク情報を用いて所定の表示を行った。しかし、本発明が適用可能な方法は、これに限定されない。
【０１１４】
これに代えて、例えば、電子ペンシステム１０は、電子ペン１に代えて、筆記中にペン先から赤外線（光）と超音波（音）を同時に発信するデジタルペンを備えてもよい。この場合、集約装置２は、当該デジタルペンから赤外線及び超音波を受信し、赤外線を受信してから超音波を受信するまでの時間に基づきペン先の動きを割り出してユーザストローク情報を生成し、当該ユーザストローク情報に基づき所定の表示を行ってもよい。
【０１１５】
他の例では、各受講者には、ｉＰａｄ（登録商標）などのタッチパネルを備えるタブレットＰＣが配布され、当該タブレットＰＣのタッチパネル上で描かれたストロークの情報をタブレットＰＣが集約装置２へ送信してもよい。この場合、集約装置２は、タブレットＰＣから受信したストロークの情報に基づきユーザストローク情報を生成及び保存し、当該ユーザストローク情報に基づき表示を行う。
【０１１６】
（変形例９）
上記した実施形態では、電子ペン、ドットパターン（コード化パターン）、記入情報に、アノト方式を用いていたが、アノト方式を用いることに限定はされない。
【０１１７】
＜第２実施形態＞
第２実施形態では、集約装置２は、非投影描画アプリケーションウィンドウＷｘ及び投影描画アプリケーションウィンドウＷｙの各ユーザストローク情報表示領域５０に相当する表示を、タブにより切り替え可能な描画アプリケーションウィンドウ（「タブ式描画アプリケーションウィンドウＷｔ」とも呼ぶ。）を表示する点で、第１実施形態と異なる。その他、第１実施形態と同様の部分については、同一の符号を付し、適宜その説明を省略する。
【０１１８】
［選択ユーザ表示機能］
まず、図２１〜図２３を参照して、選択ユーザ表示ボタン５３及び画像選定投影モードメニュー９０Ｅが選択された場合の選択ユーザ表示について説明する。
【０１１９】
図２１、２２は、選択ユーザ表示ボタン５３及び画像選定投影モードメニュー９０Ｅが選択された場合のタブ式描画アプリケーションウィンドウＷｔによる選択ユーザ表示の一例を示す。図２１、２２に示すように、タブ式描画アプリケーションウィンドウＷｔは、スクリーン６に投影表示されないユーザストローク情報表示領域５０Ｘを表示するために選択される非投影タブ５００Ｘと、スクリーン６に投影表示されるユーザストローク情報表示領域５０Ｙを表示するために選択される投影タブ５００Ｙとを備える。図２１は、非投影タブ５００Ｘが選択された状態のタブ式描画アプリケーションウィンドウＷｔを示し、図２２は、投影タブ５００Ｙが選択された状態のタブ式描画アプリケーションウィンドウＷｔを示す。
【０１２０】
図２１に示すように、ユーザストローク情報表示領域５０Ｘは、選択ユーザ表示では、第１実施形態の非投影描画アプリケーションウィンドウＷｘのユーザストローク情報表示領域５０（図１４参照）と同様の表示を行う。即ち、集約処理手段２４は、ユーザストローク情報表示領域５０Ｘの上部エリアに受講者「四郎」に対応する拡大画像２００を表示させ、ユーザストローク情報表示領域５０Ｘの下部エリアに他の全ての受講者（「太郎」、「次郎」、「三郎」、「五郎」）に対応するサムネイル２０１を同時に並べて一覧表示させる。
【０１２１】
一方、図２２に示すように、投影タブ５００Ｙ上にカーソルを合わせてマウスがクリックされた場合、タブ式描画アプリケーションウィンドウＷｔでは、スクリーン６に表示されるユーザストローク情報表示領域５０Ｙが表示される。ここで、選択ユーザ表示におけるユーザストローク情報表示領域５０Ｙは、第１実施形態の投影描画アプリケーションウィンドウＷｙの選択ユーザ表示におけるユーザストローク情報表示領域５０（図１５参照）と同様の表示を行う。即ち、集約処理手段２４は、受講者「太郎」に対応するストローク画像のストローク量Ｌｓが所定ストローク量Ｌｓｔｈ以下であることから、講師が評価できる程度に解答が記載されていないと判断し、図２１に示すサムネイル２０１Ａをユーザストローク情報表示領域５０Ｙ上で非表示にする。一方、集約処理手段２４は、拡大画像２００Ｄ及びサムネイル２０１Ｂ〜２０１Ｅを、ストローク情報表示領域５０Ｘと同様に、ユーザストローク情報表示領域５０Ｙに表示する。
【０１２２】
図２３は、プロジェクタ４からスクリーン６に投影表示されたタブ式描画アプリケーションウィンドウＷｔの選択ユーザ表示時の表示例である。図２３に示すように、スクリーン６上のタブ式描画アプリケーションウィンドウＷｔでは、非投影タブ５００Ｘ及びユーザストローク情報表示領域５０Ｘが常に非表示となる。言い換えると、集約処理手段２４は、表示手段２６上で非投影タブ５００Ｘ又は投影タブ５００Ｙのいずれが選択されているかに関わらず、スクリーン６上のタブ式描画アプリケーションウィンドウＷｔではユーザストローク情報表示領域５０Ｙが表示されるように、プロジェクタ４に対し画像信号を送信する。なお、集約処理手段２４は、プロジェクタ４からスクリーン６に投影表示させ画像には、投影タブ５００Ｙを表示しないようにしてもよい。
【０１２３】
［比較一覧表示機能］
次に、図２４〜図２６を参照して、比較一覧表示ボタン５４及び画像選定投影モードメニュー９０Ｅが選択された場合の比較一覧表示機能について説明する。
【０１２４】
図２４、２５は、比較一覧表示ボタン５４及び画像選定投影モードメニュー９０Ｅが選択された場合のタブ式描画アプリケーションウィンドウＷｔによる比較一覧表示の一例を示す。図２４、２５に示すように、比較一覧表示におけるタブ式描画アプリケーションウィンドウＷｔは、選択ユーザ表示と同様に、ユーザストローク情報表示領域５０Ｘを表示するために選択される非投影タブ５００Ｘと、ユーザストローク情報表示領域５０Ｙを表示するために選択される投影タブ５００Ｙとを備える。図２４は、非投影タブ５００Ｘが選択された状態を示すタブ式描画アプリケーションウィンドウＷｔを示し、図２５は、投影タブ５００Ｙが選択された状態を示すタブ式描画アプリケーションウィンドウＷｔを示す。
【０１２５】
そして、図２４に示すように、比較一覧表示におけるユーザストローク情報表示領域５０Ｘは、第１実施形態の非投影描画アプリケーションウィンドウＷｘの比較一覧表示におけるユーザストローク情報表示領域５０（図１６参照）と同様の表示を行う。即ち、この場合、集約処理手段２４は、全受講者の各々のユーザストローク情報に基づくストローク画像を縮小表示したサムネイル２０２Ａ〜２０２Ｅ（２０２）を同時に並べてユーザストローク情報表示領域５０Ｘ上に一覧表示させる。
【０１２６】
一方、図２５に示すように、比較一覧表示におけるユーザストローク情報表示領域５０Ｙは、第１実施形態の投影描画アプリケーションウィンドウＷｙの比較一覧表示におけるユーザストローク情報表示領域５０（図１７参照）と同様の表示を行う。具体的には、集約処理手段２４は、受講者「太郎」に対応するストローク画像のストローク量Ｌｓが所定ストローク量Ｌｓｔｈ以下であることから、講師が評価できる程度に解答が十分に記載されていないと判断し、図２４のサムネイル２０２Ａに相当するストローク画像を非表示にする。一方、受講者「次郎」、「三郎」、「四郎」、「五郎」にそれぞれ対応するストローク画像のストローク量Ｌｓは所定ストローク量Ｌｓｔｈよりも大きいことから、集約処理手段２４は、これらのストローク画像に対応するサムネイル２０１Ｂ〜２０１Ｅをユーザストローク情報表示領域５０Ｙ上に表示させる。
【０１２７】
図２６は、スクリーン６に投影表示された比較一覧表示に係るタブ式描画アプリケーションウィンドウＷｔの表示例である。図２６に示すように、スクリーン６上では、比較一覧表示に係るタブ式描画アプリケーションウィンドウＷｔは、選択ユーザ表示と同様、非投影タブ５００Ｘ及びユーザストローク情報表示領域５０Ｘが常に非表示となる。言い換えると、集約処理手段２４は、表示手段２６上で非投影タブ５００Ｘ及び投影タブ５００Ｙのいずれが選択されているかに関わらず、スクリーン６上のタブ式描画アプリケーションウィンドウＷｔではユーザストローク情報表示領域５０Ｙが表示されるように、プロジェクタ４に対し画像信号を送信する。なお、集約処理手段２４は、プロジェクタ４からスクリーン６に投影表示させ画像には、投影タブ５００Ｙを表示しないようにしてもよい。
【０１２８】
第２実施形態において、ユーザストローク情報表示領域５０Ｘは、本発明における「第１表示画像」の一例であり、ユーザストローク情報表示領域５０Ｙは、本発明における「第２表示画像」の一例である。
【０１２９】
［第２実施形態による作用効果］
以上説明した第２実施形態の電子ペンシステム１０によれば、集約装置２は、スクリーン６上では投影表示されないユーザストローク情報表示領域５０Ｘと、スクリーン６上で投影表示されるユーザストローク情報表示領域５０Ｙとを一つのタブ式描画アプリケーションウィンドウＷｔにより表示する。そして、タブ式描画アプリケーションウィンドウＷｔは、ユーザストローク情報表示領域５０Ｘへ表示を切り替えるための非投影タブ５００Ｘと、ユーザストローク情報表示領域５０Ｙへ表示を切り替えるための投影タブ５００Ｙとを備える。これにより、電子ペンシステム１０は、スクリーン６へ投影させる表示と、スクリーン６へ投影させない表示との両方を、同一ウィンドウにより容易に操作者に閲覧させることができる。
【０１３０】
［第２実施形態の変形例］
次に、第２実施形態の変形例について説明する。第２実施形態では、第１実施形態の変形例１〜９及び以下に述べる変形例１０を任意に組み合わせて適用可能である。
（変形例１０）
図２３及び図２６に示すスクリーン６上に投影されたタブ式描画アプリケーションウィンドウでは、投影タブ５００Ｙが表示されていた。これに代えて、集約処理手段２４は、スクリーン６上ではタブ表示がなされないように、プロジェクタ４に画像信号を送信してもよい。具体的には、本変形例の場合、集約処理手段２４は、選択ユーザ表示では、図２３に示す表示に代えて、図１５に示す選択ユーザ表示の投影描画アプリケーションウィンドウＷｙに相当する画像信号をプロジェクタ４に送信する。また、集約処理手段２４は、比較一覧表示では、図２６に示す表示に代えて、図１７に示す比較一覧表示の投影描画アプリケーションウィンドウＷｙに相当する画像信号をプロジェクタ４に送信する。
【符号の説明】
【０１３１】
１（１Ａ〜１Ｅ）…電子ペン
２…集約装置
３…転送装置
４…プロジェクタ
５（５Ａ〜５Ｅ、５Ｘ）…解答用紙
６…スクリーン
７…カラーパレット用紙
１０…電子ペンシステム
２０…範囲指定手段
２１…入力手段
２２…集約個別受信手段
２３…集約転送受信手段
２４…集約処理手段
２５…記憶手段
２６…表示手段
２７…送信手段
【図１】
0005807433.tif 000002
【図２】
0005807433.tif 000003
【図３】
0005807433.tif 000004
【図４】
0005807433.tif 000005
【図５】
0005807433.tif 000006
【図６】
0005807433.tif 000007
【図７】
0005807433.tif 000008
【図８】
0005807433.tif 000009
【図９】
0005807433.tif 000010
【図１０】
0005807433.tif 000011
【図１１】
0005807433.tif 000012
【図１２】
0005807433.tif 000013
【図１３】
0005807433.tif 000014
【図１４】
0005807433.tif 000015
【図１５】
0005807433.tif 000016
【図１６】
0005807433.tif 000017
【図１７】
0005807433.tif 000018
【図１８】
0005807433.tif 000019
【図１９】
0005807433.tif 000020
【図２０】
0005807433.tif 000021
【図２１】
0005807433.tif 000022
【図２２】
0005807433.tif 000023
【図２３】
0005807433.tif 000024
【図２４】
0005807433.tif 000025
【図２５】
0005807433.tif 000026
【図２６】
0005807433.tif 000027